(57)【要約】      （修正有）【課題】画像表示装置の状態に応じて、画像表示装置の状態の表示を制御することで、状態を表示するインジケータの点灯、或いは点滅を抑制し、良好に視聴可能な画像表示装置を提供する。【解決手段】外部装置３と通信可能な画像表示装置１であって、通信状態を検知する通信検知部１２と、通信状態を表示する通信表示部５，６と、画像表示装置１の状態を検知する状態検知部と、通信検知部１２の検知結果と状態検知部の検知結果に応じて、通信表示部５，６を、第１の表示パターンと、第１の表示パターンとは異なる第２の表示パターンとに切り替える制御を行う制御部１０と、を有する。【選択図】図１
2017032826.tif 000002
【特許請求の範囲】
【請求項１】
外部装置と通信可能な画像表示装置であって、
通信状態を検知する通信検知部と、
通信状態を表示する通信表示部と、
前記画像表示装置の状態を検知する状態検知部と、
前記通信検知部の検知結果と前記状態検知部の検知結果に応じて、前記通信表示部を、第１の表示パターンと、該第１の表示パターンとは異なる第２の表示パターンとに切り替える制御を行う制御部と、
を有することを特徴とする画像表示装置。
【請求項２】
前記通信表示部は、所定の色光を発光する第１の発光素子を有し、
前記第１の表示パターンは、前記第１の発光素子を点滅させる表示パターンであり、
前記第２の表示パターンは、前記第１の発光素子の点滅周期を前記第１の表示パターンよりも長くした表示パターンである、
ことを特徴とする請求項１に記載の画像表示装置。
【請求項３】
前記通信表示部は、所定の色光を発光する第２の発光素子を有し、
前記第１の表示パターンは、前記第２の発光素子を点灯させる表示パターンであり、
前記第２の表示パターンは、前記第２の発光素子の点灯時の明るさを前記第１の表示パターンよりも暗くした表示パターンである、
ことを特徴とする請求項２に記載の画像表示装置。
【請求項４】
前記通信表示部は、所定の色光を発光する第１の発光素子を有し、
前記第１の表示パターンは、前記第１の発光素子を点灯させる表示パターンであり、
前記第２の表示パターンは、前記第１の発光素子の点灯時の明るさを前記第１の表示パターンよりも暗くした表示パターンである、
ことを特徴とする請求項１に記載の画像表示装置。
【請求項５】
前記通信表示部は、所定の色光を発光する第２の発光素子を有し、
前記第１の表示パターンは、前記第２の発光素子を点滅させる表示パターンであり、
前記第２の表示パターンは、前記第２の発光素子の点滅周期を前記第１の表示パターンよりも長くした表示パターンである、
ことを特徴とする請求項４に記載の画像表示装置。
【請求項６】
前記通信表示部は、所定の色光を発光する第１の発光素子と第２の発光素子を有し、
前記第１の表示パターンは、前記通信検知部が、データ送受信があると検知したとき、前記第１の発光素子を前記所定の明るさで、通信速度に応じた点滅速度で点滅させ、前記通信検知部が、リンクが確立したと検知したとき、前記第２の発光素子を所定の明るさで点灯させる表示パターンであり、
前記第２の表示パターンは、前記通信検知部が、データ送受信があると検知したとき、前記第２の発光素子を前記所定の明るさより暗く、かつ所定の点滅速度で点滅させ、前記通信検知部が、リンクが確立したと検知したとき、前記第１の発光素子を前記所定の明るさより暗く点灯させる表示パターンである
ことを特徴とする請求項１に記載の画像表示装置。
【請求項７】
画像を表示するための画像用光源を有し、
前記制御部は、前記状態検知部が、前記画像用光源が点灯している状態と検知したとき、前記通信表示部で表示するパターンを、前記第２の表示パターンとする
ことを特徴とする請求項１乃至６のいずれか１項に記載の画像表示装置。
【請求項８】
画像信号を入力するための画像入力部を有し、
前記制御部は、前記状態検知部が、前記画像信号が入力されている状態と検知したとき、前記通信表示部で表示するパターンを、前記第２の表示パターンとする
ことを特徴とする請求項１乃至７のいずれか１項に記載の画像表示装置。
【請求項９】
前記制御部は、前記状態検知部が、前記画像表示装置が低消費電力モードに設定された状態と検知したとき、前記通信表示部で表示する表示パターンを、前記第２の表示パターンとする
ことを特徴とする請求項１乃至８のいずれか１項に記載の画像表示装置。
【請求項１０】
画像表示装置の状態を表示する状態表示部を有し、
前記制御部は、前記第２の表示パターンに切り替えるとき、前記状態表示部の表示をオフすることを特徴とする請求項１乃至９の何れか一項に記載の画像表示装置。
【請求項１１】
画像を表示するための画像用光源と、
前記画像表示装置の周囲の照度を計測する照度検出部を有し、
前記制御部は、前記状態検知部が、前記画像用光源が点灯している状態と検知し、前記周囲の照度が所定の明るさ未満のとき、前記通信表示部を、前記第１の表示パターン、前記第２の表示パターンとは異なる第３の表示パターンとし、
前記画像用光源が点灯している状態と検知し、前記周囲の照度が所定の明るさ以上のとき、前記通信表示部を、前記第２の表示パターンとする、
ことを特徴とする請求項１乃至６のいずれか１項に記載の画像表示装置。
【請求項１２】
前記通信表示部は、所定の色光を発光する第１の発光素子を有し、
前記第３の表示パターンは、前記第１の発光素子の点滅周期を前記第２の表示パターンよりも長くした表示パターンである、
ことを特徴とする請求項１１に記載の画像表示装置。
【請求項１３】
前記通信表示部は、所定の色光を発光する第２の発光素子を有し、
前記第３の表示パターンは、前記第２の発光素子の点灯時の明るさを前記第２の表示パターンよりも暗くした表示パターンである、
ことを特徴とする請求項１２に記載の画像表示装置。
【請求項１４】
前記通信表示部は、所定の色光を発光する第１の発光素子と第２の発光素子を有し、
前記第１の表示パターンは、前記通信検知部が、データ送受信があると検知したとき、前記第１の発光素子を前記所定の明るさで、通信速度に応じた点滅速度で点滅させ、前記通信検知部が、リンクが確立したと検知したとき、前記第２の発光素子を所定の明るさで点灯させる表示パターンであり、
前記第２の表示パターンは、前記通信検知部が、データ送受信があると検知したとき、前記第２の発光素子を前記所定の明るさより暗く、かつ所定の点滅速度で点滅させ、前記通信検知部が、リンクが確立したと検知したとき、前記第１の発光素子を前記所定の明るさより暗く点灯させる表示パターンであり、
前記第３の表示パターンは、前記通信検知部が、データ送受信があると検知したとき、前記第１の発光素子を前記所定の明るさより暗く点灯させ、前記第２の発光素子を消灯させる表示パターンである
ことを特徴とする請求項１１に記載の画像表示装置。
【請求項１５】
前記制御部は、前記状態検知部が、前記画像表示装置が低消費電力モードに設定された状態と検知したとき、前記通信表示部で表示する表示パターンを、前記第２の表示パターン、または、前記第３の表示パターンとする
ことを特徴とする請求項１１乃至１４のいずれか１項に記載の画像表示装置。
【請求項１６】
画像表示装置の状態を表示する状態表示部を有し、
前記制御部は、前記通信表示部で表示する表示パターンを、前記第２の表示パターン、または、前記第３の表示パターンとするとき、前記状態表示部の表示をオフすることを特徴とする請求項１１乃至１５の何れか一項に記載の画像表示装置。
【請求項１７】
外部装置と通信可能な画像表示装置の制御方法であって、
演算回路を用いて、通信状態を検知する通信検知ステップと、
前記演算回路を用いて、前記画像表示装置の状態を検知する状態検知ステップと、
前記演算回路を用いて、前記通信検知ステップの検知結果と前記状態検知ステップの検知結果に応じて、通信状態を表示する通信表示部を、第１の表示パターンと、該第１の表示パターンとは異なる第２の表示パターンとに切り替える制御を行うステップと、
を有することを特徴とする画像表示装置の制御方法。
【請求項１８】
請求項１７に記載の制御方法をコンピュータに実行させるプログラム。
【発明の詳細な説明】
【技術分野】
【０００１】
本発明は、画像表示装置の状態表示制御に関するものである。
【背景技術】
【０００２】
画像表示装置として、プロジェクタが知られている。プロジェクタは、光源からの光を画像情報に応じて光変調して光学像を形成し、当該光学像を投射レンズによってスクリーン上に拡大投射する装置である。大型スクリーンに投射する場合、ある程度の投射距離を取って天井に据え付けることが多い。
【０００３】
また、画像表示装置の動作状態を視覚的に知ることができるように、ユーザが選択した点灯パターンに応じて、ＬＥＤ（Ｌｉｇｈｔ  Ｅｍｉｔｔｉｎｇ  Ｄｉｏｄｅ）点灯パターンを制御し、動作状態を知らせる装置が開示されている（特許文献１）。
【先行技術文献】
【特許文献】
【０００４】
【特許文献１】特開２０１１−１３９３９１号
【発明の概要】
【発明が解決しようとする課題】
【０００５】
しかしながら、プロジェクタ等の画像表示装置が、比較的暗い場所で使用されていると、画像表示装置の状態を表示するインジケータの点灯、或いは点滅が視聴の妨げになることがあった。
【０００６】
そこで本発明の目的は、上記課題を解決するために、画像表示装置の状態に応じて、画像表示装置の状態の表示を制御することで、状態を表示するインジケータの点灯、或いは点滅を抑制し、良好に視聴可能とした画像表示装置を提供することである。
【課題を解決するための手段】
【０００７】
本目的を実現するために、本発明は、外部装置と通信可能な画像表示装置であって、通信状態を検知する通信検知部と、通信状態を表示する通信表示部と、前記画像表示装置の状態を検知する状態検知部と、前記通信検知部の検知結果と前記状態検知部の検知結果に応じて、前記通信表示部を、第１の表示パターンと、該第１の表示パターンとは異なる第２の表示パターンとに切り替える制御を行う制御部と、を有することを特徴とする。
【発明の効果】
【０００８】
本発明によれば、画像表示装置の状態に応じて、画像表示装置の状態の表示を制御することで、状態を表示するインジケータの点灯、或いは点滅を抑制し、良好に視聴可能な画像表示装置を提供することができる。
【図面の簡単な説明】
【０００９】
【図１】実施例１、および実施例２に係るプロジェクタの構成ブロック図
【図２】実施例１に係る複数の表示パターンを示す図
【図３】実施例１および実施例２のフローチャート
【図４】実施例３に係るプロジェクタの構成ブロック図
【図５】実施例３に係る照度センサの出力例を示す図
【図６】実施例３に係る複数の表示パターンを示す図
【図７】実施例３のフローチャート
【発明を実施するための形態】
【００１０】
以下、本発明の実施例について図面を参照しながら説明する。
【実施例１】
【００１１】
図１は、本発明の実施例１におけるプロジェクタ（画像表示装置）１の構成ブロック図である。
【００１２】
プロジェクタ１は、画像入力部２２、画像信号処理部１７、フレームメモリ１３、ＰＨＹ１２、制御部１０、不揮発性メモリ１６、画像投射部１８、等から構成されており、制御信号や画像信号を送受信するため、内部バス１１で接続されている。また、不揮発性メモリ１６に、ＭＰＵ１４（演算回路）が実行する制御プログラム２０が記憶されている。ＭＰＵ１４は制御プログラム２０を読み込み実行することで、各ブロックが制御される。
【００１３】
画像出力装置２は、外部の画像信号出力装置であり、プロジェクタ１へ画像信号を出力する。
【００１４】
画像入力部２２は、画像出力装置２から出力される画像信号を、画像入力コネクタ２１を介して入力し、画像フォーマットを解析し、画像信号に所定の画像処理を行うため、フレームメモリ１３に記憶させる。
【００１５】
画像処理部１７は、画像入力部２２から入力された画像信号や、フレームメモリ１３に記憶されている画像信号に、解像度変換や階調補正等の処理を行い、フレームメモリ１３に記憶する。
【００１６】
ランプ制御部２５は、制御部１０からの制御信号に基づいて、ランプ２６の点灯、消灯を制御する。
【００１７】
フレームメモリ１３に記憶されている画像信号は、画像投射部１８内の不図示の液晶駆動部に出力される。液晶駆動部は画像信号に応じて光変調し、投射レンズにより不図示のスクリーン等に画像を表示する。
【００１８】
操作信号受信部１５は、ユーザがリモコン４を操作して発した制御信号を赤外光受光部９で受信し、予め定義したリモコン信号に合致する操作指示として受け付ける。また、ユーザによる操作部２４の不図示の釦操作を受信し、操作指示として受け付ける。
【００１９】
操作指示により、投射画像に設定メニューを重畳し、ユーザはその設定メニューを操作することで、各種設定を行うことができる。
【００２０】
ＬＥＤユニット２３（状態表示部）は、プロジェクタの状態を示す複数のＬＥＤで構成されている。各ＬＥＤは、制御部１０からの制御信号により、任意に点灯、消灯、点滅させることができる。例えば、オフ時は緑色点滅、投射中は緑色点灯、エラー時は赤色点灯、あるいは赤色点滅させ点滅周期によってエラー箇所を示す等、各ＬＥＤを制御することによりプロジェクタの状態を表示することができる。
【００２１】
外部コントローラ３は、プロジェクタ１と通信可能であり、ＬＡＮケーブル等の信号線８でプロジェクタ１と接続され、プロジェクタ１の状態を取得、あるいは、制御コマンドを送信し、プロジェクタ１の内部状態を制御することができる。プロジェクタ１の通信設定がＯＮの場合、待機状態においても、通信することができる。
【００２２】
外部コントローラ３からの制御コマンドは、ネットワーク信号としてＬＡＮコネクタ７を介し、ＰＨＹ１２（通信検知部）に入力される。
【００２３】
ＰＨＹ１２は、通信状態を検知し、フレーム符号化、シリアル／パラレル変換、信号波形変換等の物理層処理を行い、例えば、ＭＩＩ（Ｍｅｄｉａ  Ｉｎｄｅｐｅｎｄｅｎｔ  Ｉｎｔｅｒｆａｃｅ）信号に変換し、制御部１０に出力する。
【００２４】
ＬＡＮコネクタ７は、所定の色光を発光する発光素子を備えている。本実施例では、緑色のＬＥＤ５と橙色のＬＥＤ６を備えており、制御部１０からＰＨＹ１２の設定を変更することにより、各ＬＥＤ（通信表示部）の点灯状態を制御することができる。
【００２５】
ＬＡＮで接続された通信装置は、相手側の通信装置と正しく接続されていることを常に監視するため、リンク信号を定期的に送受信している。このリンク信号を送受信できている場合は、相手側の通信装置と正しく接続されていることになる。このリンク信号を検出した場合、ＬＥＤ５を点灯させるようにＰＨＹ１２を設定することで、プロジェクタ１と外部コントローラ３は正しく接続されていることを外部から確認できる。
【００２６】
また、ＬＡＮ上でデータの送受信があった場合、例えば、ＬＥＤ６を点滅させるようにＰＨＹ１２を設定することで、プロジェクタ１と外部コントローラ３でデータの送受信があることを外部から確認できる。さらに、ＬＥＤ６を点滅させる間隔で送受信の通信速度を表すこともできる。例えば、通信速度が１０００Ｍｂｐｓであればデータ送受信時にＬＥＤ６を５０ミリ秒間隔で点滅させ、１００Ｍｂｐｓであれば２００ミリ秒間隔で点滅させる。このように通信速度に応じて点滅間隔を制御することで、データの送受信があることに加え、通信速度も外部から確認できる。
【００２７】
つまり、ＬＥＤ５は点灯し、ＬＥＤ６は断続的に点滅を繰り返すように表示されていれば、正常に通信が行われていることが、外部から確認できる。一方、ＬＥＤ５が消灯している場合、ＬＡＮケーブルの断線や、通信デバイスの異常等、何らかの異常が発生し、正常に通信が行われていない可能性があることを外部から確認できる。
【００２８】
しかし、プロジェクタが比較的暗い場所で使用されている場合、このＬＥＤ表示の点灯、或いは点滅が、視聴の妨げになることがある。そこで、本実施例では、プロジェクタの状態に応じて、ＬＥＤ表示を制御している。
【００２９】
ＬＥＤ表示を制御するため、各ＬＥＤの表示パターンを複数、予め不揮発性メモリ１６に記憶している。
【００３０】
図２に本実施例の表示パターンを示す。
【００３１】
第１の表示パターンは、リンクが確立している場合、ＬＥＤ５を点灯させる。リンクが確立し、データの送受信がある場合、ＬＥＤ６を点滅させる。点滅の間隔は、通信速度に応じて変更する。
【００３２】
第２の表示パターンは、リンクが確立している場合、ＬＥＤ５を減光点灯させる（第１の表示パターンの場合よりも明るさを落とした状態で点灯させる）。リンクが確立し、データの送受信がある場合、ＬＥＤ６を減光し点滅させる（第１の表示パターンの場合よりも点灯時の明るさを落とした状態で点滅させる）。また、点滅の間隔は、第１の表示パターンでの点滅速度より低速にする（点滅周期を第１の表示パターンの場合よりも長くする）。
【００３３】
第２の表示パターンは第１の表示パターンと比較して、ＬＥＤ表示の点灯、或いは点滅を抑制した表示パターンである。尚、第２の表示パターンは、第１の表示パターンと比較して、点灯時の明るさを落とすだけでも構わないし、点滅周期を長くするだけでも構わないし、上述のようにその両者を組み合わせても良い。
【００３４】
プロジェクタの状態として、ランプ（画像用光源）が消灯している場合、画像を表示していないので、通信状態を確認ができた方が好ましい。従って、第１の表示パターンで、ＬＥＤ表示を制御する。
【００３５】
一方、ランプを点灯している場合、画像を表示しているので、通信状態を確認したい場合、メニュー表示させ確認することもできるので、ＬＥＤ表示を抑制した第２の表示パターンで、ＬＥＤ表示を制御する。この制御により、画像を表示している際、ＬＥＤ表示が抑制されるため、視聴の妨げになることを低減することができる。
【００３６】
ランプの状態は、制御部１０（状態検知部）がランプ制御部２５と通信することで検知することができる。
【００３７】
次に図３のフローチャートを使用して、ＭＰＵ１４が実行する制御プログラム２０のＬＥＤ表示制御について説明する。図３の方法は、コンピュータによって各ステップを実行させるためのプログラムとして実現可能である。さらに、プログラムは、これを格納した半導体メモリや光ディスク等の記憶媒体やインターネット、ＬＡＮを介して液晶プロジェクタやパーソナルコンピュータにインストールされるようにしてもよい。
【００３８】
プロジェクタの状態に応じて、本実施例で説明する表示パターン設定処理であるステップＳ２００を実行開始する。
【００３９】
次にステップＳ２０２で、プロジェクタの状態を確認し、ＬＥＤ表示を抑制すべきかどうか判定する。本実施例では、プロジェクタの状態として、ランプが点灯中か否か判定している。ランプが点灯している場合、ステップＳ２０４へ進み、ランプが消灯している場合、ステップＳ２０６へ進む。
【００４０】
ステップＳ２０４は、ランプが点灯しているので、不揮発性メモリ１０６から第２の表示パターンを読み込む。
【００４１】
ステップ２０８は、ランプが消灯しているので、不揮発性メモリ１０６から第１の表示パターンを読み込む。
【００４２】
ステップＳ２０６は、ステップＳ２０４、またはステップＳ２０８で読み込まれた表示パターンを、ＰＨＹ１２に設定する。この設定により、プロジェクタの状態に応じて、ＬＥＤ表示を第１の表示パターン、または第２の表示パターンで制御することができる。
【００４３】
ステップＳ２１０へ進み、表示パターン設定処理を終了する。
【００４４】
以上、プロジェクタの状態に応じて、ＬＥＤ表示パターンを切替える制御について説明した。
【００４５】
本実施例で説明したステップＳ２０２の判定は、プレゼンテーションを実行するため、ユーザが明示的にプロジェクタの操作メニューから、ＬＥＤの点滅を抑制するための表示モードを設定したかどうか判定するようにも応用可能である。
【００４６】
また、第１の表示パターン、第２の表示パターンは種々の設定が可能であり、第２の表示パターンは、全て消灯する設定にしてもよい。
【００４７】
また、第２の表示パターンが選択された場合、合わせて、プロジェクタの状態を示すＬＥＤ２３も消灯するように設定してもよい。
【００４８】
また、ＬＥＤ表示を抑制した第２の表示パターンは消費電力の低減に寄与するので、消費電力を低減させる低消費電力モード（エコモード）の設定に連動させても良い。
【００４９】
また、表示パターンは、ユーザが任意に表示パターンを設定しても良い。
【００５０】
また、ＬＥＤで状態を表示するインターフェースは、本実施例で説明した有線ＬＡＮコネクタとＬＥＤモジュール一体型のものに限定されるものではなく、ＬＥＤが別モジュールで構成されたものにも適用可能である。さらには、無線ＬＡＮの通信状態を表示するＬＥＤであっても良い。
【実施例２】
【００５１】
次に第２の実施例について説明する。
【００５２】
本実施例のプロジェクタの構成は、実施例１と同様のため、説明を省略する。実施例１との相違点は、画像入力部による画像入力検知と、該検知結果によりＬＥＤ表示制御を行う点である。
【００５３】
画像入力部は、例えば、水平同期信号、垂直同期信号や有効データ領域信号の有無等から、画像信号が入力されているか否かを検知することができる。
【００５４】
ＭＰＵ１４は、内部通信により、画像信号入力部２２の状態を定期的に確認し、画像信号が入力されているか否かを検知する。
【００５５】
ランプが点灯中であり、画像信号の入力を検知した場合、前述したプレゼンテーション中、すなわち、ＬＥＤ表示を抑制すべき状態であると判定する。ランプが消灯している、あるいは画像信号の入力を検知できない場合は、プレゼンテーション中ではないと判定できるので、通常のＬＥＤ表示パターンを設定するように制御する。
【００５６】
次に図３のフローチャートを使用して、ＭＰＵ１４が実行する制御プログラム２０のＬＥＤ表示制御について説明する。実施例１との相違点は、ステップＳ２０２であり、他のステップは実施例と同様のため、説明を省略する。
【００５７】
ステップＳ２０２で、プロジェクタの状態を確認し、ＬＥＤ表示を抑制すべきかどうか判定する。本実施例では、プロジェクタの状態として、ランプが点灯中か否か、画像信号が入力されているか否かを判定している。ランプが点灯し、画像信号が入力されている場合、ステップＳ２０４へ進み、ランプが消灯している、または、画像信号が入力されていない場合、ステップＳ２０６へ進む。
【００５８】
以上説明したように、プロジェクタの状態として、実施例１のランプが点灯しているか否かに加え、画像信号が入力されているか否かを検知することにより、より正確に、ＬＥＤ表示パターンを切替えることが可能となる。
【実施例３】
【００５９】
次に第３の実施例について、図４に示すブロック図で説明する。
【００６０】
実施例１との相違点は、プロジェクタの周囲の外部環境光を計測するため、照度センサ１０１（照度検出部）が付加された点と、ＬＥＤ表示パターンが追加された点である。
【００６１】
照度センサは、例えば、フォトダイオードと電流増幅回路で構成され、検出した照度は図５に示すように出力電流値として取得される。
【００６２】
図６に本実施例の表示パターンを示す。
【００６３】
本実施例では、ＬＥＤ表示の設定値を数値で表している。設定値の十の位は明るさを表し、数値が大きいほど明るく表示される。一の位はＬＥＤの点滅速度を表し、数値が大きいほど点滅速度が速くなる。
【００６４】
第１の表示パターンは、リンクが確立している場合、ＬＥＤ５を明るさ９で点灯させる。リンクが確立し、データの送受信がある場合、ＬＥＤ６を明るさ９、点滅速度２で点滅させる。
【００６５】
第２の表示パターンは、リンクが確立している場合、ＬＥＤ５を明るさ３で点灯させる。リンクが確立し、データの送受信がある場合、ＬＥＤ６を明るさ３、点滅速度１で点滅させる。
【００６６】
第３の表示パターンは、リンクが確立している場合でも、ＬＥＤ５を点灯させず消灯する。リンクが確立し、データの送受信がある場合、ＬＥＤ６を明るさ３で点灯させる。
【００６７】
第２の表示パターンは第１の表示パターンと比較して、ＬＥＤ表示を抑制した表示パターンである。第３の表示パターンは、第２の表示パターンと比較して、ＬＥＤ表示を抑制し、さらに、点灯、或いは点滅を抑制した表示パターンである。
【００６８】
本実施例では、プロジェクタの状態として、ランプが点灯しているか否かに加え、外部環境光を検知している。
【００６９】
プロジェクタの電源がＯＮされ、ランプが点灯中の場合、予め不揮発性メモリ１０６に記憶させておいた照度７０相当の電流閾値７１と、現在の出力電流値を比較する。現在の出力電流値が電流閾値７１未満の場合には、外部環境光の照度が７０（Ｌｘ）未満であり、環境を暗くし画像を表示しているので、プレゼンテーションを実行していると判定し、第３の表示パターンでＬＥＤ表示を制御する。
【００７０】
現在の出力電流値が電流閾値７１以上の場合には、外部環境光の照度が７０（Ｌｘ）以上であり、プレゼンテーションが終わり、再び部屋の照明を点灯させたと判定できる。従って、明るい環境なので、多少のＬＥＤの点滅は視聴の妨げと感じることが少ないため、第２の表示パターンで、ＬＥＤ表示を制御する。
【００７１】
ランプが消灯している場合、画像を表示していないので、通信状態を確認ができた方が好ましい。従って、第１の表示パターンで、ＬＥＤ表示を制御する。
【００７２】
次に図７のフローチャートを使用して、ＭＰＵ１４が実行する制御プログラム２０の外部光量を加味したＬＥＤ表示制御について説明する。
【００７３】
表示モード設定用ステップＳ３００を実行する。
【００７４】
ステップＳ３０２は、照度センサから外部環境光量を取得する。
【００７５】
ステップＳ３０４は、ランプ点灯中か否かを判定する。ランプが点灯している場合、ステップＳ３０６へ進み、ランプが消灯している場合、ステップＳ３１２へ進む。
【００７６】
ステップ３０６は、外部環境光量が所定の明るさか否かを判定する。ステップＳ３０２で照度センサから取得した出力電流値と、予め記憶している照度７０相当の電流閾値とを比較する。出力電流値が小さい場合、ステップＳ３０８に進む。出力電流値が大きい時はステップＳ３１０へ進む。
【００７７】
ステップＳ３０８は、ランプが点灯し、外部環境光が暗いため、不揮発性メモリ１０６から第３の表示パターンを読み込む。
【００７８】
ステップＳ３１０は、ランプが点灯し、外部環境光が明るいため、不揮発性メモリ１０６から第２の表示パターンを読み込む。
【００７９】
ステップＳ３１２は、ランプが消灯しているので、不揮発性メモリ１０６から第１の表示パターンを読み込む。
【００８０】
ステップＳ３１４は、ステップＳ３０８、またはステップＳ３１０、またはステップＳ３１２で読み込まれた表示パターンを、ＰＨＹ１２に設定する。この設定により、プロジェクタの状態に応じて、ＬＥＤ表示を第１の表示パターン、または第２の表示パターン、または第３の表示パターンで制御することができる。
【００８１】
ステップＳ３１６へ進み、表示モードの設定処理を終了する。
【００８２】
以上説明したように、プロジェクタの状態として、実施例１のランプが点灯しているか否かに加え、外部環境光の明るさを検知することにより、より正確に、ＬＥＤ表示パターンを切替えることが可能となる。
【００８３】
以上、プロジェクタの状態に応じて、プロジェクタの状態の表示を制御するプロジェクタについて説明した。
【００８４】
この制御は液晶プロジェクタに限定されるものでなく、例えば、デジタルマイクロミラーを用いたプロジェクタにも有効である。
【符号の説明】
【００８５】
１  プロジェクタ
５  ＬＥＤ
６  ＬＥＤ
１０  制御手段
１２  ＰＨＹ
【図１】
2017032826.tif 000003
【図２】
2017032826.tif 000004
【図３】
2017032826.tif 000005
【図４】
2017032826.tif 000006
【図５】
2017032826.tif 000007
【図６】
2017032826.tif 000008
【図７】
2017032826.tif 000009